【手続補正書】
【提出日】平成26年3月11日(2014.3.11)
【手続補正１】
【補正対象書類名】特許請求の範囲
【補正対象項目名】全文
【補正方法】変更
【補正の内容】
【特許請求の範囲】
【請求項１】
隙間を介して対向する一対のガラス基板と、
前記隙間に位置し、前記一対のガラス基板とともに密閉空間を規定し、前記一対のガラス基板を接合する周状の第一の接合材と、を有した気密容器であって、
前記密閉空間の内側、外側の少なくともいずれか一方に配置され前記一対のガラス基板を接合する第二の接合材を前記隙間に有し、
前記第二の接合材は、前記一対のガラス基板が対向する方向において、前記第一の接合材より低く、前記一対のガラス基板の少なくとも一方は、前記第一の接合材に圧縮力がかかるように、前記第一の接合材との接合部において弾性変形していることを特徴とする気密容器。
【請求項２】
前記一対のガラス基板の少なくとも一方は、前記第二の接合材に引っ張り力がかかるように、前記第二の接合材との接合部において弾性変形していることを特徴とする請求項１に記載の気密容器。
【請求項３】
前記第二の接合材は、前記第一の接合材を挟んで、前記密閉空間の内側と外側とに配置されていることを特徴とする請求項１又は２に記載の気密容器。
【請求項４】
前記第二の接合材は、前記第一の接合材が延びる方向に沿って、不連続部を有して複数配置されていることを特徴とする請求項１乃至３のいずれか1項に記載の気密容器。
【請求項５】
前記第一の接合材がガラスフリットであり、前記第二の接合材がガラスフリット、無機接着剤及び有機接着剤の少なくともいずれかであることを特徴とする請求項１乃至４のいずれか１項に記載の気密容器。
【請求項６】
前記第一の接合材の幅方向における中央部の高さが、前記第一の接合材の幅方向における前記第二の接合材側の端部の高さよりも高いことを特徴とする請求項１乃至５のいずれか１項に記載の気密容器。
【請求項７】
請求項１乃至６のいずれか一項に記載の気密容器と、前記一対のガラス基材の少なくとも一方に配置された発光部と、を備えていることを特徴とする画像表示装置。
【請求項８】
前記発光部は、有機ＥＬ層を備えることを特徴とする請求項７に記載の画像表示装置。
【請求項９】
隙間を開けて対向する一対のガラス基板の間に、前記一対のガラス基板とともに密閉空間を規定し、前記一対のガラス基板を接合する第一の接合材を挟み込んだ気密容器の製造方法であって、
一対のガラス基板の隙間に周状に伸びる第一の接合材と前記第一の接合材より高さが低い第二の接合材と、を配置し、前記一対のガラス基板のそれぞれが前記第一の接合材に接するように前記一対のガラス基板を近づける対向配置工程と、
前記一対のガラス基板のそれぞれが前記第二の接合材に接するように、前記一対のガラス基板が対向する方向に前記一対のガラス基板の少なくとも一方を弾性変形させる変形工程と、
前記第一の接合材と前記一対のガラス基材とを接合する第一の接合工程と、
前記第二の接合材と前記一対のガラス基材とを接合する第二の接合工程と、
を有し、
前記第二の接合工程は、前記一対のガラス基板の少なくとも一方が弾性変形された状態で行われることを特徴とする気密容器の製造方法。
【請求項１０】
前記変形工程は、前記対向配置工程の後に行われることを特徴とする請求項９に記載の気密容器の製造方法。
【請求項１１】
前記第一の接合工程は、前記第二の接合工程の前に行われることを特徴とする請求項９又は１０に記載の気密容器の製造方法。
【請求項１２】
前記第一の接合工程は、前記第二の接合工程の後に行われることを特徴とする請求項９又は１０に記載の気密容器の製造方法。
【請求項１３】
前記対向配置工程は、前記第一の接合材を挟んで、前記密閉空間の内側と外側とに前記第二の接合材を配置する工程であることを特徴とする請求項９乃至１２のいずれか１項に記載の気密容器の製造方法。
【請求項１４】
前記対向配置工程は、前記第一の接合材が延びる方向に沿って、不連続部を有して前記第二の接合材を複数配置することを特徴とする請求項９乃至１３のいずれか1項に記載の気密容器の製造方法。
【請求項１５】
前記第一の接合材がガラスフリット、前記第二の接合材がガラスフリット、無機接着剤及び有機接着剤の少なくともいずれかであることを特徴とする請求項９乃至１４のいずれか１項に記載の気密容器の製造方法。
【請求項１６】
前記一対のガラス基板の少なくとも一方に有機ＥＬ層を含む発光部を配置する工程と、
請求項９乃至１５のいずれか１項に記載の製造方法で製造された気密容器を用意する工程と、を有することを特徴とする画像表示装置の製造方法。
【手続補正２】
【補正対象書類名】明細書
【補正対象項目名】０００８
【補正方法】変更
【補正の内容】
【０００８】
本発明の第一は、隙間を介して対向する一対のガラス基板と、
前記隙間に位置し、前記一対のガラス基板とともに密閉空間を規定し、前記一対のガラス基板を接合する周状の第一の接合材と、を有した気密容器であって、
前記密閉空間の内側、外側の少なくともいずれか一方に配置され前記一対のガラス基板を接合する第二の接合材を前記隙間に有し、
前記第二の接合材は、前記一対のガラス基板が対向する方向において、前記第一の接合材より低く、前記一対のガラス基板の少なくとも一方は、前記第一の接合材に圧縮力がかかるように、前記第一の接合材との接合部において弾性変形していることを特徴とする気密容器を提供するものである。
【手続補正３】
【補正対象書類名】明細書
【補正対象項目名】０００９
【補正方法】変更
【補正の内容】
【０００９】
本発明の第二は、上記気密容器と、前記一対のガラス基材の少なくとも一方に配置された発光部と、を備えていることを特徴とする画像表示装置を提供するものである。
【手続補正４】
【補正対象書類名】明細書
【補正対象項目名】００１０
【補正方法】変更
【補正の内容】
【００１０】
本発明の第三は、隙間を開けて対向する一対のガラス基板の間に、前記一対のガラス基板とともに密閉空間を規定し、前記一対のガラス基板を接合する第一の接合材を挟み込んだ気密容器の製造方法であって、
一対のガラス基板の隙間に周状に伸びる第一の接合材と前記第一の接合材より高さが低い第二の接合材と、を配置し、前記一対のガラス基板のそれぞれが前記第一の接合材に接するように前記一対のガラス基板を近づける対向配置工程と、
前記一対のガラス基板のそれぞれが前記第二の接合材に接するように、前記一対のガラス基板が対向する方向に前記一対のガラス基板の少なくとも一方を弾性変形させる変形工程と、
前記第一の接合材と前記一対のガラス基材とを接合する第一の接合工程と、
前記第二の接合材と前記一対のガラス基材とを接合する第二の接合工程と、
を有し、
前記第二の接合工程は、前記一対のガラス基板の少なくとも一方が弾性変形された状態で行われることを特徴とする気密容器の製造方法を提供するものである。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】変更
【補正の内容】
【００１３】
本発明の第四は、前記一対のガラス基板の少なくとも一方に有機ＥＬ層を含む発光部を配置する工程と、
上記本発明の気密容器の製造方法で製造された気密容器を用意する工程と、を有することを特徴とする画像表示装置の製造方法を提供するものである。